(57)【要約】【課題】パネルが中途半端な状態で取り付くのを防止してパネルが落下するのを防止できる換気装置を提供することを目的とする。【解決手段】パネル１に設けられたパネル爪部２の係合部は内向きであって、その対辺には係合部がパネル中央を中心に対称形状でパネル爪部２を設けたものである。天井面に設置された前記パネル１を取り外す場合には、前記パネル１の一辺に設けられたパネル爪部２の係合を解除しても対辺に設けられたパネル爪部２は前記保持部６を備えた支持部５で回動するも係合は維持されていることによってパネル１は懸架されて落下しない。【選択図】  図３
2013242075.tif 000002
【特許請求の範囲】
【請求項１】
羽根車と該羽根車を回転駆動する電動機を備えたボス部と、
該ボス部の周囲に設けられたフランジ部と、
該フランジ部に設けられた複数の支持部と、
該支持部に取り付けられ、前記羽根車の吸気口を覆うパネルと、
を具備する換気装置であって、
前記パネルに一体に設けられた複数のパネル爪部は、先端の係合部が内向きになるように線対称に設けられており、
前記複数の支持部は、先端の保持部が外向きになるように線対称に設けられていることを特徴とする換気装置。
【請求項２】
羽根車と該羽根車を回転駆動する電動機を備えたボス部と、
該ボス部の周囲に設けられたフランジ部と、
該フランジ部に設けられた複数の支持部と、
該支持部に取り付けられ、前記羽根車の吸気口を覆うパネルと、
を具備する換気装置であって、
前記パネルに一体に設けられた複数のパネル爪部は、先端の係合部が内向きになるように点対称に設けられており、
前記複数の支持部は、先端の保持部が外向きになるように点対称に設けられていることを特徴とする換気装置。
【請求項３】
請求項１または２に記載の換気装置であって、
該換気装置を、天井面に設置した場合には、前記パネルの一辺に設けられたパネル爪部の係合を解除しても、対辺に設けられたパネル爪部の係合によってパネルが懸架され落下しないことを特徴とする換気装置。
【請求項４】
請求項１または２に記載の換気装置であって、
前記パネル爪部の先端の断面形状は、先端が内向きの略Ｌ字状であり、
前記保持部の先端の断面形状は、先端が外向きの略Ｊ字状であることを特徴とする換気装置。
【発明の詳細な説明】
【技術分野】
【０００１】
本発明は、壁面又は天井面に設けられた円筒状の換気口に装着されて換気をする換気装置に関する。
【背景技術】
【０００２】
特許文献１には、要約書等に記載されるように、本体フレームの立ち上がり部に、本体フレームの正面側寄りに設けた突起部と、本体フレームの背面側寄りに逆Ｌ字状に形成し設けられる係止部と、本体フレームに取り付けられる前面パネルに、突起部が係合する係合孔および係止部に係合するように設けられる係合突部と、本体フレームに設けた係止用爪に弾性係合するように設けられる着脱用の爪とを備え、突起部および係止部を設けた立ち上がり部と対面する立ち上がり部に係止用爪を設けることにより、前面パネルが中途半端な状態で取り付くのを防止して前面パネルが落下するのを防止できる換気装置が開示されている。
【先行技術文献】
【特許文献】
【０００３】
【特許文献１】特開２００７−２２５２２２号公報
【発明の概要】
【発明が解決しようとする課題】
【０００４】
特許文献１の換気装置では、係止用爪を本体フレームの、突起部および係止部を設けた立ち上がり部と対面する立ち上がり部に設けて、前面パネルの落下を防止しているので、パネルの取り付け位置が本体フレームの逆Ｌ字状に形成し設けられる係止部により規制されているため、パネルの取り付け／取り外し方向が限定されており、特に高所での作業時に換気装置の取り付け／取り外し作業の効率が悪いという問題がある。
【０００５】
本発明は、上記課題を解決するもので、パネルの取り付け／取り外し操作方向を限定せずに、換気装置の取り付け／取り外し作業の効率を高めることを目的とする。
【課題を解決するための手段】
【０００６】
上記の課題を解決するため、請求項１の換気装置では、羽根車と該羽根車を回転駆動する電動機を備えたボス部と、該ボス部の周囲に設けられたフランジ部と、該フランジ部に設けられた複数の支持部と、該支持部に取り付けられ、前記羽根車の吸気口を覆うパネルと、を具備する換気装置であって、前記パネルに一体に設けられた複数のパネル爪部は、先端の係合部が内向きになるように線対称に設けられており、前記複数の支持部は、先端の保持部が外向きになるように線対称に設けた。
【発明の効果】
【０００７】
本発明によれば、パネルの取り付け及び、取り外し操作方向を限定せずに中途半端な状態で取り付くのを防止してパネルが落下するのを防止できる換気装置を提供することができる。
【図面の簡単な説明】
【０００８】
【図１】一実施例の換気装置の分解斜視図。
【図２】図１の換気装置を壁面に設置した時の断面図。
【図３】図１の換気装置を天井面に設置し一方のパネル係合部を解除した時の断面図。
【発明を実施するための形態】
【０００９】
本発明の換気装置の要旨は、壁面又は天井面に設けられた円筒状の換気口にボス部を挿入して、フランジ部を屋内側に突出して設置され、ボス部の中央には電動機と電動機により駆動される羽根車を備え、フランジ部の前面に着脱自在に取り付けられるパネルを備えた換気装置において、パネルに設けられたパネル爪部を、フランジ部に設けられたパネル爪部と係合する保持部を備えた支持部を設けたものであって、パネルに設けられたパネル爪部の係合部は内向きであって、対辺には係合部がパネル中央を中心に対称形状となるパネル爪部を設けたものであって、天井面に設置された場合には、パネルの一辺に設けられたパネル爪部の係合を解除しても対辺に設けられたパネル爪部の係合によってパネルは懸架されて落下しない作用を有する換気装置である。
【００１０】
以下、本発明の一実施例について図１〜図３を参照しながら説明する。
【００１１】
本実施例の換気扇は、水平あるいは垂直に取り付け可能なものであり、その分解斜視図を図１に示す。図１に示すように、本実施例の換気装置は、ボス部４の中央に羽根車８とそれを駆動する電動機７を備えるとともに、ボス部４の周囲に設けられたフランジ部３前面には複数の支持部５（５ａ〜５ｄ）を設け、この支持部５にパネル１を着脱自在に取り付け、羽根車８の吸気口をパネル１で覆うものである。
【００１２】
パネル１には、複数のパネル爪部２（２ａ〜２ｄ）が一体に設けられており、このパネル爪部２が支持部５の保持部６（６ａ〜６ｄ）と係合することで、換気装置が構成される。
【００１３】
図２は、本実施例の換気装置を壁面に設置したときの断面図である。ここに示すように、パネル１のパネル爪部２（２ａ〜２ｄ）は、略Ｌ字状断面の係合部の先端のそれぞれが内向きになるような線対称の形状をしている。また、支持部５（５ａ〜５ｄ）は、略Ｊ字状断面の保持部６（６ａ〜６ｄ）の先端のそれぞれが外向きになるような線対称の形状をしている。
【００１４】
一方、図３は、本実施例の換気装置を天井面に設置したときの断面図であり、パネル爪部２ｂ、２ｃと、保持部６ｂ、６ｃの係合を解除した状態を示す。ここに示すように、パネル爪部２の係合部は内向きの略Ｌ字状断面であり、それと係合する支持部５の保持部６は外向きの略Ｊ字状断面であるため、パネル１の一辺のパネル爪部２ｂ、２ｃの係合を解除しても、他辺のパネル爪部２ａ、２ｄのみで支持部５ａ、５ｄの保持部６ａ、６ｄに係合保持され、パネル１を懸架できる。
【００１５】
従って、天井面に設置されたパネル１を取り外す場合には、例えば、パネル爪部２ｂ、２ｃ側の係合を解除し、パネル爪部２ａ、２ｄでパネル１を懸架する状態とした後、パネル１を上方に持ち上げることで、パネル爪部２ａ、２ｄと保持部６ａ、６ｄの係合を解除して取り外すことができる。このように、作業者がパネル１を完全に取り外す前に、一旦パネル１を懸架する状態にできるので、パネル１の不意の落下を防止でき、一回の手順でパネル１を取り外さなければならない構造に比べ、パネル１の取り外し作業が容易になる。また、最初に係合を解除するパネル爪部２は２ａ、２ｄ側であっても良いため、作業者に都合の良いほうからパネル爪部２の係合解除を行うことができ、作業を容易にし、作業効率を高めることができる。
【００１６】
同様に、天井面に取り付けられた換気装置にパネル１を取り付ける場合にも、一旦、一方のパネル爪部２と保持部６を係合させ、パネル１を懸架した後、他方のパネル爪部２と保持部６を係合させることができ、パネル１取り付け時にも、パネル１の不意の落下を防止することができる。
【００１７】
以上で説明したように、本実施例の換気装置によれば、パネルの取り付け及び、取り外し操作方向を限定せずに、中途半端な状態で取り付くのを防止してパネルが落下するのを防止できる。また、本実施例の構造を、空気調和機や自然給気口等のパネルの取り付け構造に適用してもよい。
【００１８】
なお、以上で説明した本実施例の換気装置では、パネル爪部２と支持部５を線対象とした例を説明したが、これらを羽根車８の回転軸を中心とする点対称の形状としても良い。この場合、任意の方向からパネル１を取り外すことができ、作業効率をより高めることができる。
【符号の説明】
【００１９】
１  パネル
２、２ａ〜２ｄ  パネル爪部
３  フランジ部
４  ボス部
５、５ａ〜５ｄ  支持部
６、６ａ〜６ｄ  保持部
７  電動機
８  羽根車
【図１】
2013242075.tif 000003
【図２】
2013242075.tif 000004
【図３】
2013242075.tif 000005